(57)【要約】      （修正有）【課題】装着時に撮像機能を有する識別装置を提供する。【解決手段】識別装置は、第１の情報表示領域１０１を有する第１の表面１１１と、固定構造を有する第２の表面と、を含むケース１１０と、ケースの中に配置され、撮像端が第１の表面に設けられる撮像素子１２０と、第１の表面に設けられる第１のボタン１３１と、第１のボタンの中に設けられる第１のライト１３３と、第１の表面に設けられる第２のボタン１３２と、第２のボタンの中に設けられる第２のライト１３４と、を含み、ケースの中に配置される指示素子１３０と、撮像素子、第１のボタン、第１のライト、第２のボタン及び第２のライトに電気的に接続されるように、ケースの中に配置される処理素子と、を備える。【選択図】図１
0003231919.tif 000002
【実用新案登録請求の範囲】
【請求項１】
第１の情報表示領域を有する第１の表面と、前記第１の表面に対向し、固定構造を有する第２の表面と、を含むケースと、前記第１の表面に設けられる撮像端を含み、前記ケースの中に配置される撮像素子と、前記第１の表面に設けられる第１のボタンと、前記第１のボタンの中に設けられる第１のライトと、前記第１の表面に設けられる第２のボタンと、前記第２のボタンの中に設けられる第２のライトと、を含み、前記ケースの中に配置される指示素子と、前記撮像素子、前記第１のボタン、前記第１のライト、前記第２のボタン及び前記第２のライトに電気的に接続されるように、前記ケースの中に配置される処理素子と、を備える識別装置。
【請求項２】
前記処理素子に電気的に接続されるように、前記ケースの中に配置される無線送信部を更に備える請求項１に記載の識別装置。
【請求項３】
前記処理素子に電気的に接続されるように、前記ケースの中に配置される保存ユニットを更に備える請求項１乃至２の何れか１項に記載の識別装置。
【請求項４】
前記ケースは、前記処理素子に電気的に接続される第１のスロットを含む請求項１乃至３の何れか１項に記載の識別装置。
【請求項５】
前記処理素子に電気的に接続されるように、前記ケースの中に配置される識別素子を更に備える請求項１乃至４の何れか１項に記載の識別装置。
【請求項６】
前記識別素子は、前記第１の表面に設けられる感知端を含む請求項５に記載の識別装置。
【請求項７】
前記撮像素子は、前記第１の表面に設けられる第３のボタンを含む請求項１乃至６の何れか１項に記載の識別装置。
【請求項８】
前記処理素子に電気的に接続されるように、前記ケースの中に配置されるセンシング素子を更に備える請求項１乃至７の何れか１項に記載の識別装置。
【請求項９】
前記ケースの中に設けられるブザーユニットを更に備え、且つ前記ケースは発音領域を有し、前記ブザーユニットが前記発音領域に設けられる請求項１乃至８の何れか１項に記載の識別装置。
【請求項１０】
前記第１の表面は、前記第１のボタンの近傍に配置される第２の情報表示領域と、
前記第２のボタンの近傍に配置される第３の情報表示領域と、を有する請求項１乃至９の何れか１項に記載の識別装置。
【考案の詳細な説明】
【技術分野】
【０００１】
本考案は、識別装置に関し、特に、撮像機能を持つ識別装置に関する。
【背景技術】
【０００２】
従来の職場では、通常、職員は識別証を持つ必要がある。例としては、農林畜水産の従業員、工場の生産ラインのオペレーター、商品の販売員、医療者等の一部は、作業環境における人員を効果的に管理するように、識別証を装着する必要がある。
【考案の概要】
【考案が解決しようとする課題】
【０００３】
しかしながら、科学技術の進展及び人々の要求に伴い、より多くの機能を持つ識別証を如何に提供するかは、当業者が解決しようとする主要な問題の１つになっている。
【課題を解決するための手段】
【０００４】
本考案の提案する識別装置によれば、生活や仕事において人々の様々な要求を支援するように、撮像機能を提供して、画像を記録することができ、礼運大同篇に記載の「天下為公、世界大同」の達成が望まれている。本考案の提案する認識装置を使用すれば、「大道の行いである。才能のある人と能力のある人を選び、天下の公共の為に尽くす事である。正しい解釈により仲睦まじく学び、故に人は親やその親ばかりでなく、子や其の子ばかりでもなく、老いては生命を終えるところであり、壮年の者の活躍する所であり、幼き者の成長する所であり、働くことが出来ず身寄りのない人や廃人疾病者をみな養う所である。男には男の分があり、女には女としての帰する所がある。貨幣の悪しきはその遣う場所に在り、己の為に蔵するべからず。力の悪しきは其の出し方に在り、己の為に出し惜しみすべからず。これで誰もが門を閉じる事はしなくなり、窃盗盗賊はなくなり、故に誰もが門戸の戸締りはせず、これを大同という。」を達成することができる。
【０００５】
本考案の一実施例に係る識別装置は、第１の情報表示領域を有する第１の表面と、第１の表面に対向し、固定構造を有する第２の表面と、を含むケースと、第１の表面に設けられる撮像端を含み、ケースの中に配置される撮像素子と、第１の表面に設けられる第１のボタンと、第１のボタンの中に設けられる第１のライトと、第１の表面に設けられる第２のボタンと、第２のボタンの中に設けられる第２のライトと、を含み、ケースの中に配置される指示素子と、撮像素子、第１のボタン、第１のライト、第２のボタン及び第２のライトに電気的に接続されるように、ケースの中に配置される処理素子と、を備える識別装置である。
【０００６】
本考案の一実施例において、前記識別装置は、処理素子に電気的に接続されるように、ケースの中に配置される無線送信部を更に備える。
【０００７】
本考案の一実施例において、前記識別装置は、処理素子に電気的に接続されるように、ケースの中に配置される保存ユニットを更に備える。
【０００８】
本考案の一実施例において、前記ケースは、処理素子に電気的に接続される第１のスロットを含む。
【０００９】
本考案の一実施例において、前記識別装置は、処理素子に電気的に接続されるように、ケースの中に配置される識別素子を更に備える。
【００１０】
本考案の一実施例において、前記識別素子は、第１の表面に設けられる感知端を含む。
【００１１】
本考案の一実施例において、前記撮像素子は、第１の表面に設けられる第３のボタンを含む。
【００１２】
本考案の一実施例において、前記識別装置は、処理素子に電気的に接続されるように、ケースの中に配置されるセンシング素子を更に備える。
【００１３】
本考案の一実施例において、前記識別装置は、ケースの中に設けられるブザーユニットを更に備え、且つケースは発音領域を有し、ブザーユニットが発音領域に設けられる。
【００１４】
本考案の一実施例において、前記第１の表面は、第１のボタンの近傍に配置される第２の情報表示領域と、第２のボタンの近傍に配置される第３の情報表示領域と、を有する。
【考案の効果】
【００１５】
上記から分かるように、本考案の実施例の識別装置は、ユーザーの装着時に撮像機能を提供することができる撮像素子を有する。
【図面の簡単な説明】
【００１６】
【図１】本考案の一実施例に係る識別装置の平面模式図である。
【図２】本考案の一実施例に係る識別装置の平面模式図である。
【図３】本考案の一実施例に係る識別装置のブロック図である。
【図４】本考案の別の実施例に係る識別装置のブロック図である。
【図５】本考案のもう１つの実施例に係る識別装置の斜視模式図である
【図６】本考案のもう１つの実施例に係る識別装置のブロック図である。
【考案を実施するための形態】
【００１７】
図１及び図２は、本考案の一実施例に係る識別装置の平面模式図であり、且つ図１は識別装置の第１の表面に向う図であり、図２は識別装置の第２の表面に向う図である。図１を参照されたく、識別装置１００は、ケース１１０と、撮像素子１２０と、指示素子１３０と、を備える。
【００１８】
図２を合わせて参照されたく、ケース１１０は、第１の表面１１１と、第２の表面１１２と、を含む。第１の表面１１１は、第１の情報表示領域１０１を有する。第２の表面１１２は、第１の表面１１１に対向し、且つ固定構造１４０を有する。
【００１９】
撮像素子１２０は、ケース１１０の中に配置され、且つ第１の表面１１１に設けられる撮像端１２１を含む。
【００２０】
指示素子１３０は、ケース１１０の中に配置される。指示素子１３０は、第１のボタン１３１と、第１のライト１３３と、第２のボタン１３２と、第２のライト１３４と、を含む。第１のボタン１３１は、第１の表面１１１に設けられる。第１のライト１３３は、第１のボタン１３１の中に設けられる。第２のボタン１３２は、第１の表面１１１に設けられる。第２のライト１３４は、第２のボタン１３２の中に設けられる。
【００２１】
例として、第１のライト１３３及び第２のライト１３４は、発光ダイオード（ｌｉｇｈｔ  ｅｍｉｔｔｉｎｇ  ｄｉｏｄｅ；ＬＥＤ）を含んでよい。
【００２２】
図３は、本考案の一実施例に係る識別装置１００のブロック図である。図３を参照されたく、識別装置１００は、処理素子１５０を備える。処理素子１５０は、撮像素子１２０、第１のボタン１３１、第１のライト１３３、第２のボタン１３２及び第２のライト１３４に電気的に接続される。
【００２３】
識別装置１００は、撮像素子１２０を有するので、ユーザーにより装着される場合に撮像機能を提供して、ユーザーの作業過程を記録することができる。例として、ユーザーが公務機関のスタッフである場合、本実施例の識別装置１００は、必要な時に証拠として使用するように、ユーザのワークフローを記録することができる。ユーザーが農林畜水産のスタッフである場合、本実施例の識別装置１００は、製品の飼育の流れを記録することができる。ユーザーが工業生産ラインのオペレータである場合、本実施例の識別装置１００は、製品の製造プロセスを記録することができる。ユーザーが教員である場合、本実施例の識別装置１００は、教室の授業の状況を記録することができる。ユーザーが企業訪問者である場合、本実施例の識別装置１００は、訪問者の動きを記録することができる。
【００２４】
第１の情報表示領域１０１は、ユーザの名前をマークすることができるが、本考案はこれに限定されない。他の実施例において、第１の情報表示領域１０１は、会社名、ユニット名、及び役職をマークすることができる。
【００２５】
一方、ユーザーが第１のボタン１３１を押すと、処理素子１５０は、第１のライト１３３を点灯し撮像素子１２０をオンにして撮影を開始することができる。従って、識別装置１００は、第１のライト１３３から放出された光によって、ユーザが撮像素子１２０をオンにすることを知ることがである。
【００２６】
ユーザーが第２のボタン１３２を押すと、処理素子１５０は、第２のライト１３４を点灯し撮像素子１２０をオフにして撮影を停止することができる。従って、識別装置１００は、第２のライト１３４から放出された光によって、ユーザーが撮像素子１２０をオフにすることを知ることがである。
【００２７】
更に言えば、本実施例の第１の表面１１１は、第２の情報表示領域１０２と、第３の情報表示領域１０３と、を有する。第２の情報表示領域１０２は第１のボタン１３１の近傍に配置され、第３の情報表示領域１０３は第２のボタン１３２の近傍に配置される。第２の情報表示領域１０２は動作中とマークされてよく、第３の情報表示領域１０３は休憩中とマークされてよい。
【００２８】
一方、識別装置１００は、処理素子１５０に電気的に接続されるように、ケース１１０の中に配置される保存ユニット１６０を更に備える。
【００２９】
例として、保存ユニット１６０は、ランダムアクセスメモリ、コンピュータメモリ又はメモリカードを含んでよいが、本考案はこれに限定されない。
【００３０】
図４は、本考案の別の実施例に係る識別装置のブロック図である。図４を参照されたく、識別装置１００Ａは、上記の実施例の識別装置１００と同じように、ケース１１０と、撮像素子１２０と、指示素子１３０と、処理素子１５０と、を備えるが、無線送信部１７０を更に備える。無線送信部１７０は、識別装置１００Ａに電気的に接続される。
【００３１】
従って、本実施例において、処理素子１５０は、撮像素子１２０から画像データを取得して、無線送信部１７０によってサーバに送信することができる。従って、ユーザが識別装置１００Ａを装着する場合に撮った画像を、インターネットを介してサーバに送信することができる。
【００３２】
例として、作業場所において、識別装置１００Ａにより撮られた画像が監督者のコンピュータに送信されることができるので、監督者は、ユーザの作業進捗及び状態を観察することができる。
【００３３】
一方、識別装置１００Ａは、センシング素子１８０を更に含む。センシング素子１８０は、処理素子１５０に電気的に接続される。例として、センシング素子１８０が無線周波数識別（ｒａｄｉｏ  ｆｒｅｑｕｅｎｃｙ  ｉｄｅｎｔｉｆｉｃａｔｉｏｎ；ＲＦＩＤ）チップであってよいので、識別装置１００Ａは、悠遊カード（ＥａｓｙＣａｒｄ）とされてもよいが、本考案はこれに限定されない。
【００３４】
図５は、本考案のもう１つの実施例に係る識別装置の斜視模式図である。図５を参照されたく、本実施例の識別装置１００Ｂは、実施例の識別装置１００と同じように、ケース１１０と、撮像素子１２０と、指示素子１３０と、処理素子１５０と、を備え、撮像素子１２０は撮像端１２１を有し、指示素子１３０は第１のボタン１３１と、第２のボタン１３２と、第１のライト１３３と、第２のライト１３４と、を含む。更に言えば、識別装置１００Ｂは、メモリカード１９１を好適に収容する第１のスロット１９０を備える。
【００３５】
図６は、本考案のもう１つの実施例に係る識別装置のブロック図である。図５及び図６を参照されたく、第１のスロット１９０は、処理素子１５０に電気的に接続される。従って、識別装置１００Ｂは、更に、メモリカード１９１を挿入することで、保存容量を拡張することができる。
【００３６】
一方、識別装置１００Ｂは、処理素子１５０に電気的に接続されるようにケース１１０の中に配置される識別素子１０１０を更に備える。更に言えば、識別素子１０１０は、第１の表面１１１に設けられる感知端１０１１を含み、例えば、指紋認識モジュールである。従って、ユーザーが識別装置１００Ｂを使用する前に、更に識別素子１０１０の感知端１０１１に触れて身分識別を行うことにより、他のユーザが予期せずに識別装置１００Ｂを作動させることを更に回避してよい。
【００３７】
本考案の実施例の識別素子１０１０は、指紋認識モジュールに限定されなく、他の実施例において、虹彩認識モジュール又は顔認識モジュールであってもよいので、撮像素子１２０から画像を取得して、認識機能を提供することができる。
【００３８】
一方、識別装置１００Ｂにおける撮像素子１２０は、第１の表面１１１に設けられる第３のボタン１２２を更に含んでよい。プライベートな環境での継続的な記録を回避するために、ユーザーは、第３のボタン１２２によって撮像素子１２０をオン又はオフにすることができる。
【００３９】
一方、識別装置１００Ｂは、ブザーユニット１０２０を更に備える。ブザーユニット１０２０はケース１１０の中に設けられ、ケース１１０が発音領域１０４を有し、且つブザーユニット１０２０が発音領域１０４に設けられる。従って、識別装置１００Ｂは、更に提示音を発することができる。
【００４０】
以上をまとめると、本考案の実施例の識別装置は、ユーザーの装着時に撮像機能を提供することができ、作業環境において作業中の画像を記録することができる撮像素子を有する。
【符号の説明】
【００４１】
１００、１００Ａ、１００Ｂ  識別装置
１０１  第１の情報表示領域
１０２  第２の情報表示領域
１０３  第３の情報表示領域
１０４  発音領域
１１０  ケース
１１１  第１の表面
１１２  第２の表面
１２０  撮像素子
１２１  撮像端
１２２  第３のボタン
１３０  指示素子
１３１  第１のボタン
１３２  第２のボタン
１３３  第１のライト
１３４  第２のライト
１４０  固定構造
１５０  処理素子
１６０  保存ユニット
１７０  無線送信部
１８０  センシング素子
１９０  第１のスロット
１９１  メモリカード
１０１０  識別素子
１０１１  感知端
１０２０  ブザーユニット
【図１】
0003231919.tif 000003
【図２】
0003231919.tif 000004
【図３】
0003231919.tif 000005
【図４】
0003231919.tif 000006
【図５】
0003231919.tif 000007
【図６】
0003231919.tif 000008